【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
ヘアドライヤーであって、
本体と、
流体流れがそこを通ってヘアドライヤーに入る流体入口から、ヘアドライヤーから該流体流れを放出する流体出口まで前記本体を通って延びる流体流路と、
主流体流れがそこを通ってヘアドライヤーに入る第２の流体入口から、該主流体流れが前記流体流れとヘアドライヤーの前記流体出口又はその近くで結合する第２の流体出口まで少なくとも部分的に前記本体を通って延びる主流体流路と、
前記本体内に配置され、前記主流体流路を通過する流体を加熱するための加熱器と、
を含み、
前記加熱器は、前記流体入口からアクセス不能であり、
前記流体入口は、前記本体の一端に配置される、
ことを特徴とするヘアドライヤー。
【請求項２】
前記加熱器は、前記第２の流体入口からアクセス不能であることを特徴とする請求項１に記載のヘアドライヤー。
【請求項３】
前記主流体流れは、前記流体流れと前記流体出口の近くで結合することを特徴とする請求項１又は請求項２に記載のヘアドライヤー。
【請求項４】
前記主流体流れは、流体をヘアドライヤーから放出することを特徴とする請求項１又は請求項２に記載のヘアドライヤー。
【請求項５】
前記第２の流体出口は、前記流体流路の回りに延びることを特徴とする請求項１から請求項４のいずれか１項に記載のヘアドライヤー。
【請求項６】
前記第２の流体出口は、環状であることを特徴とする請求項１から請求項５のいずれか１項に記載のヘアドライヤー。
【請求項７】
前記第２の流体出口は、前記流体出口の回りに延びることを特徴とする請求項４から請求項６のいずれか１項に記載のヘアドライヤー。
【請求項８】
前記主流体流路は、前記本体の出口端に向けて該本体を通って延びることを特徴とする請求項１から請求項７のいずれか１項に記載のヘアドライヤー。
【請求項９】
前記主流体流れは、前記流体流路と同じ方向に前記本体を少なくとも部分的に通って延びることを特徴とする請求項１から請求項８のいずれか１項に記載のヘアドライヤー。
【請求項１０】
前記本体は、前記流体入口と前記流体出口の間を延びるダクトを含み、
前記加熱器は、前記ダクトの回りに少なくとも部分的に延びる、
ことを特徴とする請求項１から請求項９のいずれか１項に記載のヘアドライヤー。
【請求項１１】
前記ダクトは、前記第２の流体入口及び前記第２の流体出口の少なくとも一方を部分的に形成することを特徴とする請求項１０に記載のヘアドライヤー。
【請求項１２】
前記加熱器は、前記主流体流路に配置されることを特徴とする請求項１から請求項１１のいずれか１項に記載のヘアドライヤー。
【請求項１３】
前記主流体流路は、入口部分及び出口部分を含み、
前記加熱器は、前記出口部分に配置される、
ことを特徴とする請求項１から請求項１２のいずれか１項に記載のヘアドライヤー。
【請求項１４】
前記本体内で、前記出口部分は、少なくとも１つの壁により前記入口部分から隔離されることを特徴とする請求項１３に記載のヘアドライヤー。
【請求項１５】
前記少なくとも１つの壁は、前記第２の流体入口に隣接して配置されることを特徴とする請求項１４に記載のヘアドライヤー。
【請求項１６】
前記少なくとも１つの壁は、前記本体に配置された少なくとも２つの管状壁と該管状壁の間を延びる環状壁とを含み、
前記加熱器は、前記管状壁の間に配置される、
ことを特徴とする請求項１４又は請求項１５に記載のヘアドライヤー。
【請求項１７】
ダクトが、設けられ、該ダクトは、前記本体に接続され、前記主流体流路は、該ダクトを通って延びることを特徴とする請求項１から請求項１６のいずれか１項に記載のヘアドライヤー。
【請求項１８】
前記ダクトは、ヘアドライヤーのハンドルを含むことを特徴とする請求項１７に記載のヘアドライヤー。
【請求項１９】
前記ダクトは、流体を前記第２の流体入口を通って前記主流体流路内に引き込むためのファンユニットを含むことを特徴とする請求項１７又は請求項１８に記載のヘアドライヤー。
【請求項２０】
前記ダクトは、材料でライニングされることを特徴とする請求項１６から請求項１８のいずれか１項に記載のヘアドライヤー。
【請求項２１】
流体出口及び前記第２の流体出口は、同一平面内にあることを特徴とする請求項１から請求項２０のいずれか１項に記載のヘアドライヤー。
【請求項２２】
手持ち式電気器具であって、
本体と、
流体流れがそこを通って電気器具に入る流体入口から、電気器具から該流体流れを放出する流体出口まで前記本体を通って延びる流体流路と、
主流体流れがそこを通って電気器具に入る第２の流体入口から、該主流体流れが前記流体流れと電気器具の前記流体出口又はその近くで結合する第２の流体出口まで少なくとも部分的に前記本体を通って延びる主流体流路と、
前記本体内に配置され、前記主流体流路を通過する流体を加熱するための加熱器と、
を含み、
前記加熱器は、前記流体入口からアクセス不能であり、
前記流体入口は、前記本体の一端に配置される、
ことを特徴とする手持ち式電気器具。
【請求項２３】
前記加熱器は、前記第２の流体入口からアクセス不能であることを特徴とする請求項２２に記載の電気器具。
【請求項２４】
前記主流体流れは、前記流体流れと前記流体出口の近くで結合することを特徴とする請求項２２又は請求項２３に記載の電気器具。
【請求項２５】
前記主流体流れは、流体をヘアドライヤーから放出することを特徴とする請求項２２又は請求項２３に記載の電気器具。
【請求項２６】
前記第２の流体出口は、前記流体流路の回りに延びることを特徴とする請求項２２から請求項２５のいずれか１項に記載の電気器具。
【請求項２７】
前記第２の流体出口は、環状であることを特徴とする請求項２２から請求項２６のいずれか１項に記載の電気器具。
【請求項２８】
前記第２の流体出口は、前記流体出口の回りに延びることを特徴とする請求項２５から請求項２７のいずれか１項に記載の電気器具。
【請求項２９】
前記主流体流路は、前記本体の出口端に向けて該本体を通って延びることを特徴とする請求項２２から請求項２８のいずれか１項に記載の電気器具。
【請求項３０】
前記主流体流れは、前記流体流路と同じ方向に前記本体を少なくとも部分的に通って延びることを特徴とする請求項２２から請求項２９のいずれか１項に記載の電気器具。
【請求項３１】
前記本体は、前記流体入口と前記流体出口の間を延びるダクトを含み、
前記加熱器は、前記ダクトの回りに少なくとも部分的に延びる、
ことを特徴とする請求項２２から請求項３０のいずれか１項に記載の電気器具。
【請求項３２】
前記ダクトは、前記第２の流体入口及び前記第２の流体出口の少なくとも一方を部分的に形成することを特徴とする請求項３１に記載の電気器具。
【請求項３３】
前記主流体流路は、入口部分及び出口部分を含み、
前記加熱器は、前記出口部分に配置される、
ことを特徴とする請求項３２に記載の電気器具。
【請求項３４】
前記加熱器は、前記主流体流路に配置されることを特徴とする請求項２３から請求項３３のいずれか１項に記載の電気器具。
【請求項３５】
前記主流体流路は、入口部分及び出口部分を含み、
前記加熱器は、前記出口部分に配置される、
ことを特徴とする請求項３４に記載の電気器具。
【請求項３６】
前記本体内で、前記出口部分は、少なくとも１つの壁により前記入口部分から隔離されることを特徴とする請求項３５に記載の電気器具。
【請求項３７】
前記少なくとも１つの壁は、前記第２の流体入口に隣接して配置されることを特徴とする請求項３６に記載の電気器具。
【請求項３８】
前記少なくとも１つの壁は、前記本体に配置された少なくとも２つの管状壁と該管状壁の間を延びる環状壁とを含み、
前記加熱器は、前記管状壁の間に配置される、
ことを特徴とする請求項３６又は請求項３７に記載の電気器具。
【請求項３９】
ダクトが、設けられ、該ダクトは、前記本体に接続され、前記主流体流路は、該ダクトを通って延びることを特徴とする請求項３３から請求項３８のいずれか１項に記載の電気器具。
【請求項４０】
前記ダクトは、ヘアドライヤーのハンドルを含むことを特徴とする請求項３９に記載の電気器具。
【請求項４１】
前記ダクトは、流体を前記第２の流体入口を通って前記主流体流路内に引き込むためのファンユニットを含むことを特徴とする請求項３９又は請求項４０に記載の電気器具。
【請求項４２】
流体を前記入口部分から前記出口部分まで運ぶための前記ダクトは、電気器具のハンドルを含むことを特徴とする請求項３９から請求項４１のいずれか１項に記載の電気器具。
【請求項４３】
前記ダクトは、材料でライニングされることを特徴とする請求項３９又は請求項４０に記載の電気器具。
【請求項４４】
流体出口及び前記第２の流体出口は、同一平面内にあることを特徴とする請求項２２から請求項４３のいずれか１項に記載の電気器具。